(57)【特許請求の範囲】
【請求項１】
複数の通信システムに接続可能な移動体無線通信端末において、
第１の通信システムにより相手端末の識別情報を受信する受信手段と、
相手端末の識別情報とともに、該識別情報に対応させ返答メッセージを記憶する記憶手段と、
前記受信手段により相手端末の識別情報を受信すると、前記記憶手段に記憶されている該識別情報に対応して記憶されている返答メッセージを第２の通信システムにより該相手端末に送信する送信手段と、を具備し、
前記送信手段は、前記第２の通信システムの基地局と無線により接続し、前記返答メッセージの送信に先だって、該基地局の圏内に当該移動体無線通信端末がいるか否かを判断し、当該移動体無線通信端末が圏内に入った時点で、前記返答メッセージを送信する、
ことを特徴とする移動体無線通信端末。
【発明の詳細な説明】
【０００１】
【発明の属する技術分野】
本発明は、ページャ等のデータ通信システムから受信した発信者からのメッセージに対して自動応答し、所定のメッセージまたは任意のメッセージを発信者に送信する移動体無線通信端末に関する。
【０００２】
【従来の技術】
従来より、通信回線を介して遠隔地の相手を呼び出したり、相手に任意のメッセージを送信することにより、相手と連絡をとるメッセージ通信システムがある。メッセージ通信システムとしては、一方向通信システムとしてページャシステム等があり、また、双方向通信システムとして双方向ページャシステム、携帯電話システム、ＰＨＳ（Personal Handy Phone System）等が知られている。さらに、これらの一方向通信システムおよび双方向通信システムを複合する複合端末等がある。
【０００３】
これらのデータ通信システムの端末にメッセージを送る場合、送信側端末（例えば、電話機）により受信側端末（相手のページャ端末、ＰＨＳ端末または複合端末）に識別番号（電話番号等）をダイヤルした後、メッセージに対応する数字を入力することにより送信するか、トーンダイヤラ機能を利用して、予め入力しておいた識別番号（電話番号等）およびメッセージを選択してダイレクトに送信する。受信側端末では、このメッセージを受信すると、報知音を発したり端末を振動させるとともに、受信したメッセージを表示部に表示することにより、利用者に知らせるようになっている。
【０００４】
【発明が解決しようとする課題】
ところで、上述した従来のメッセージ受信端末では、受信したメッセージを受信した場合、使用者がメッセージを確認した後、メッセージを送ってきた相手に対して電話をかけたり、あるいは相手のメッセージ通信端末に対してメッセージを送らなければならないため、操作が面倒であった。また、メッセージを受信したときに、手が離せない場合や、端末が他の場所にあるときには、相手への連絡が遅れてしまうという問題があった。
【０００５】
そこで本発明は、一方向通信システムを使用してメッセージを送ってきた相手にいちいち電話をかけることなく、自動的に返答メッセージを送信することができる移動体無線通信端末を提供することを目的とする。
【００１４】
【課題を解決するための手段】
上記目的達成のため、請求項１記載の発明による移動体無線通信端末は、複数の通信システムに接続可能な移動体無線通信端末において、第１の通信システムにより相手端末の識別情報を受信する受信手段と、相手端末の識別情報とともに、該識別情報に対応させ返答メッセージを記憶する記憶手段と、前記受信手段により相手端末の識別情報を受信すると、前記記憶手段に記憶されている該識別情報に対応して記憶されている返答メッセージを第２の通信システムにより該相手端末に送信する送信手段と、を具備し、前記送信手段は、前記第２の通信システムの基地局と無線により接続し、前記返答メッセージの送信に先だって、該基地局の圏内に当該移動体無線通信端末がいるか否かを判断し、当該移動体無線通信端末が圏内に入った時点で、前記返答メッセージを送信する、ことを特徴とする。
【００１５】
【発明の実施の形態】
以下、本発明の実施の形態を、ページャとＰＨＳ端末の機能を有する複合端末に適用した一実施例として、図面を参照して説明する。
Ａ．実施例の構成
Ａ−１．無線通信システムの構成
図１は本発明の実施例によるページャやＰＨＳ端末等の無線通信システムの構成を示すブロック図である。図において、電話回線網１は、全国に張り巡らされた通常のアナログ電話回線網（ＰＳＴＮ網）、あるいはデジタル回線網（例えば、ＩＳＤＮ網）である。該電話回線網１には、電話機（アナログ端末およびデジタル端末）２、所定間隔で設置されたＰＨＳ基地局３、ＰＨＳセンタ４、およびページングセンタ５が接続されている。電話機２は、一般家庭に設置されている電話機や公衆電話機あるいは図示しないＰＢＸ（交換機）を介して電話回線網１に接続される電話機であり、ページャ７や複合端末８にメッセージを送る場合に使用される。利用者は、メッセージを送る場合、上記電話機２あるいは後述する複合端末８のＰＨＳ部から相手のページャ７または複合端末８に電話をかけ、メッセージに対応する数字を入力することにより送信するか、トーンダイヤラ機能を利用して、予め入力しておいた電話番号およびメッセージを選択して送信する。上記メッセージは、電話回線網１に接続されているページングセンタ５に供給される。
【００１６】
ＰＨＳ基地局３は、図示の例では１つであるが、実際には複数であり、それぞれのサービスエリアに存在するＰＨＳ端末との間で無線によりデータ授受することにより、端末同士の回線を確立したり、後述するＰＨＳセンタ４によるサービスを複合端末８に提供する。また、ＰＨＳセンタ４は、図示しないデータベースに複合端末８の位置登録情報や認証情報、課金情報を格納し、電話回線網１を制御して端末間での通信を管理するとともに、データベースにボイスメール等の各種データを蓄積し、後述する複合端末８からの要求に応じて、上記ボイスメールやデータを利用者に与える各種のサービスを提供する。次に、ページングセンタ５には、所定間隔で設置されたページャ基地局６，６が接続されており、該ページャ基地局６，６を介して、複合端末８または電話機２から送信されたページャメッセージをページャ７または複合端末８に対して送信する。
【００１７】
ページャ７は、ページャ基地局６から自身宛に送信されるページャメッセージを受信し、報知音を発したり端末を振動させるとともに、受信したページャメッセージを表示部に表示することにより、利用者に知らせるようになっている。上述した複合端末８は、ページャ機能およびＰＨＳ端末機能を有し、利用者に携帯され、上記ＰＨＳ基地局３に対して、無線によって回線接続要求を出して他のＰＨＳ端末や複合端末、家庭内の電話機と通信したり、ＰＨＳセンタ４によるサービスを受ける。また、複合端末８は、予め設定した電話番号の相手からのページャメッセージを受信した場合には、その相手に自動発呼し、その電話番号に登録しておいた返答メッセージ（固定または任意）を送信するようになっている。
【００１８】
Ａ−２．複合端末の構成
図２は本発明の実施例による複合端末８の構成を示すブロック図である。図において、１０はＰＨＳ用の送受信部であり、受信部および送信部からなる周波数変換部と、受信部および送信部からなるモデムとから構成されている。周波数変換部の受信部は、送信／受信を振り分けるアンテナスイッチを介して入力される、アンテナＡＮＴ１で受信した信号を、ＰＬＬシンセサイザから出力される所定周波数の局部発振信号と混合することにより、１．９ＧＨｚ帯から１ＭＨｚ帯付近のＩＦ（中間周波）信号に周波数変換する。また、周波数変換部の送信部は、後述するモデムから供給されるπ／４シフトＱＰＳＫの変調波をＰＬＬシンセサイザから出力される所定周波数の局部発振信号と混合することにより、１．９ＧＨｚ帯に周波数変換し、アンテナスイッチを介してアンテナＡＮＴ１から輻射する。次に、上述したモデムの受信部は、周波数変換部からのＩＦ信号を復調し、ＩＱデータに分離してデータ列とし、ＰＨＳ通信制御部１１へ送出する。また、モデムの送信部では、通信制御部１１から供給されるデータからＩＱデータを作成して、π／４シフトＱＰＳＫの変調をして、ＰＨＳ送受信部１０の周波数変換部へ送出する。
【００１９】
次に、ＰＨＳ通信制御部１１は、送信側および受信側とで構成されており、フレーム同期およびスロットのデータフォーマット処理を行う。上記受信側は、ＰＨＳ送受信部１０のモデムから供給される受信データから所定のタイミングで１スロット分のデータを取り出し、このデータの中からユニークワード（同期信号）を抽出してフレーム同期信号を生成し、かつ、制御データ部および音声データ部のスクランブル等を解除した後、制御データを制御部１８へ送出し、音声データを音声処理部１２へ送出する。また、上記送信側は、音声処理部１２から供給される音声データに制御データ等を付加するとともに、スクランブル等を付与した後にユニークワード等を付加して、１スロット分の送信データを作成し、所定タイミングでフレーム内の所定スロットに挿入してＰＨＳ送受信部１０のモデムに送出する。
【００２０】
次に、上述した音声処理部１２は、スピーチコーディックおよびＰＣＭコーディックで構成されている。上記スピーチコーディックは、デジタルデータの圧縮／伸張処理を行うものであり、受信側および送信側とで構成されている。受信側は、ＰＨＳ通信制御部１１から供給されるＡＤＰＣＭ音声信号（４ビット×８ＫＨｚ＝３２Ｋｂｐｓ）をＰＣＭ音声信号（８ビット×８ＫＨｚ＝６４Ｋｂｐｓ）に復号化することにより伸張してＰＣＭコーディックに出力する。送信側は、ＰＣＭコーディックから供給されるＰＣＭ音声信号をＡＤＰＣＭ音声信号に符号化することにより圧縮してＰＨＳ通信制御部１１へ送出する。上述したＰＣＭコーディックは、アナログ／デジタル変換処理を行うものであり、受信側は、スピーチコーディックから供給されるＰＣＭ音声信号をＤ／Ａ変換によりアナログ音声信号へ変換し、スピーカ１３から発音させ、送信側はマイク１４から入力されたアナログ音声信号をＡ／Ｄ変換によりＰＣＭ信号に変換し、スピーチコーディックに送出する。
【００２１】
ページャ受信部１５は、ページャ用のアンテナＡＮＴ２で受信した信号を復調し、ページャ通信制御部１６に供給する。ページャ通信制御部１６は、上記復調された信号から送信者の識別情報（例えば、電話番号等）、受信したメッセージを取り出し、制御部１８に供給する。次に、キー入力部１７は、相手先の電話番号を入力する数値キーや、オンフック／オフフックを行うスイッチ、音声出力を変えるボリュームスイッチ等から構成される。これらキーやスイッチの状態は制御部１８に供給される。次に、制御部１８は、所定のプログラムに従って装置全体を制御する。特に、本実施例では、メッセージを受信すると、ＰＨＳ送受信部１０およびＰＨＳ通信制御部１１を制御し、受信したメッセージの送信者の識別情報（例えば、電話番号）に対して予め設定されている返答メッセージを自動送信するようになっている。ＲＯＭ１９には上記制御部１８で実行されるプログラムや、種々のパラメータ等が格納されている。また、ＲＡＭ２０は、上記制御部１８の制御に伴って生成されるデータが格納されたり、ワーキングエリアとして用いられるとともに、電話をかける相手先の住所や、電話番号等のデータからなる住所録等の電話帳（データベース）が格納されている。特に、本実施例では、ＲＡＭ２０には、例えば、受信したメッセージに対して自動返答するために、相手の電話番号および返答メッセージが格納されている。返答メッセージは、予め用意されている固定メッセージ（複数）の中から選択されたメッセージか、あるいはキー入力部から入力される任意のメッセージからなる。
【００２２】
次に、表示部２１は、動作モードや、電話番号、通話時間等の各種データ等を表示する液晶表示器や、スイッチ等のオン／オフ等を示すＬＥＤから構成されており、上記制御部１８の制御の下、各種データを表示する。また、該表示部１９は、タッチパネルとなっており、表示したアイコン、データ等を図示しないタッチペンによりタッチすることで、データを入力できるようになっている。特に、本実施例では、表示部２１には、返答メッセージを送信する相手の電話番号入力時および返答メッセージの登録時に、相手の名前や電話番号、設定したメッセージが表示される。また、ページャメッセージの受信時には、受信したページャメッセージおよび発信者の電話番号（発信者が入力する）を表示する。また、バイブ２２は、ページャあるいはＰＨＳによる着信があったことを振動により使用者に知らせる。
【００２３】
Ｂ．実施例の動作
次に、上述した実施例による複合端末８の動作について説明する。なお、以下の説明では、通話に伴う各部の動作については通常のＰＨＳ端末の動作と同様であるので説明を省略する。
【００２４】
Ｂ−１．返答メッセージ登録処理
図３は、本実施例による複合端末８において、返答メッセージを自動送信する相手および返答メッセージを登録するための動作を説明するためのフローチャートである。図３において、まず、ステップＳ１０で、利用者によって、キー入力部１７から相手の名前および電話番号を入力させる。なお、ＲＡＭ２０に記憶されている電話帳（データベース）に記憶されている電話帳データから選択するようにしてもよい。この結果、表示部２１には、図５（ａ）に示すように、入力された相手の名前および電話番号が表示される。次に、ステップＳ１２で、利用者によって、返答メッセージが固定メッセージか任意のメッセージであるかのメッセージ種別を選択させる。
【００２５】
そして、ステップＳ１４で、選択されたメッセージ種別が固定メッセージか否かを判断する。メッセージ種別が固定メッセージの場合、ステップＳ１６に進み、図５（ｂ）に示すようなメッセージリストの中から所望するメッセージを選択させる。固定メッセージとしては、図示の例では、「１．ウケトリマシタ」、「２．カイギチュウデス」、「３．ガイシュツチュウデス」、「４．＿＿ジニモドリマス」、あるいは「５．スイミンチュウ」等が予め設定されている。なお、４番目のメッセージでは、「＿＿」の部分に任意の時刻が入力できるようになっている。利用者は、メッセージリストの中からそのときの状況、相手に応じて所望するメッセージを選択する。一方、選択されたメッセージ種別が固定メッセージでなければ、ステップＳ１８に進み、キー入力部１７から任意のメッセージを入力させる。
【００２６】
いずれの場合であっても、返答メッセージが決定されると、表示部２１には、図５（ｃ）に示すように、選択もしくは入力されたメッセージが表示される。図示の例では、「１０ジマデカイギチュウデス」という返答メッセージが選択されている。そして、ステップＳ２０において、選択もしくは入力された返答メッセージをステップＳ１０で入力した電話番号に対応付けてＲＡＭ２０に格納した後、当該処理を終了する。なお、複数の相手に対して返答メッセージを設定する場合は、上述した処理を繰り返せばよい。この結果、ＲＡＭ２０には、発信者の電話番号に対して、該相手からページャメッセージが送信された場合に自動応答する返答メッセージが格納されることになる。なお、返答メッセージは、上述した電話帳（データベース）に記憶されてもよい。
【００２７】
Ｂ−２．メッセージ受信処理
図４は、本実施例による複合端末８において、ページャメッセージを受信した場合の動作を説明するためのフローチャートである。図４において、まず、ステップＳ３０で、ページャメッセージを受信したか否かを判断し、受信していなければ、受信するまで、同ステップＳ３０を繰り返し実行する。
【００２８】
ここで、ページャ７の所有者が電話機２から複合端末８に対して発呼し、自分のページャ７の電話番号とともに、入力したページャメッセージを送信すると、該電話番号およびページャメッセージは、ページングセンタ５、ページャ基地局６を介して、複合端末８に送信される。
【００２９】
複合端末８では、アンテナＡＴＮ２によって上記送信信号を受信し、ページャ受信部１５で復調し、ページャ通信制御部１６で復調した受信信号から相手の電話番号およびページャメッセージを取り出し、制御部１８に供給する。複合端末８は、ページャメッセージを受信すると、ステップＳ３２に進み、受信したページャメッセージを表示部２１に表示し、ステップＳ３４で、受信した発信者の電話番号とＲＡＭ２０に格納している電話番号リストとを比較する。
【００３０】
そして、ステップＳ３６で、一致する電話番号があるか否かを判断し、一致するものがなければ、ステップＳ３０に戻る。一方、一致する電話番号があれば、ステップＳ３８に進み、一致した電話番号に返答メッセージが登録されているか否かを判断する。そして、返答メッセージが登録されていれば、ステップＳ４０に進み、ＰＨＳ圏内か否か、すなわち、ＰＨＳ基地局３のサービスエリア内であるか否かを判断する。ＰＨＳ圏外であれば、返答メッセージを送信できないので、ステップＳ４０を繰り返し実行し、ＰＨＳ圏内に入るのを待つ。
【００３１】
一方、ＰＨＳ圏内であれば、ステップＳ４２に進み、ＰＨＳ通信制御部１１およびＰＨＳ送受信部１０を制御して、受信した発信者の電話番号に自動発信し、ステップＳ４６で、上記発信者の電話番号に対して登録されていた返答メッセージをトーン信号に変換してアンテナＡＮＴ１から送信する。該返答メッセージは、複合端末８の電話番号とともに、ＰＨＳ基地局３、ページングセンタ５およびページャ基地局６を介して、所定のページャ７に送信される。
【００３２】
この結果、複合端末８の所有者が受信したページャメッセージに対してすぐに応答できない場合や、離れた場所にいる場合であっても、予め設定しておいた返答メッセージが自動的に相手のページャ７に対して送信されることになる。ページャ７では、上記送信信号を受信し、図５（ｄ）に示すように、受信した返答メッセージおよび複合端末の電話番号を表示する。したがって、ページャメッセージの発信者は、すぐに相手からの返答メッセージを受信でき、相手がメッセージを受信したことや、相手がどのような状況にあるかを把握することができる。
【００３３】
なお、上記実施例では、ページャ機能とＰＨＳ端末機能を有する複合端末としたが、これに限らず、ページャ機能と携帯電話機能を有する複合端末であってもよい。また、相手から送信された電話番号に基づいて返答メッセージを検索するのに代えて、相手から名前を送信してもらい、該名前に基づいて電話番号およぎ返答メッセージを検索するようにしてもよい。さらに、複合端末に計時機能を備え、ページャメッセージを受信した時刻を、応答するときの返答メッセージに付加し、例えば、相手のページャで、「１０：３５ニウケトリマシタ」というように表示させ、ページャメッセージの受信時刻を相手に知らせるようにしてもよい。
【００３４】
また、上記実施例では、メッセージの受信をページャシステムにより行い、メッセージの送信をＰＨＳシステムを使用して実行したが、これに限定されることなく、例えば、文字多重放送により受信したメッセージに対して、携帯電話等でメッセージを返答するようにしてもよい。さらに、メッセージの受信メッセージ情報あるいは送信する返答メッセージ情報を文字情報としたが、これに限定されることなく、相手端末により音声メッセージ情報としてもよい。すなわち、ページャで受けた文字メッセージ情報に対して、応答メッセージをＰＨＳで送るとき、相手端末がＰＨＳであるとき、音声で送るようにしてもよい。これは、識別情報−返答メッセージ対応テーブルに相手端末の種類の識別を付けておいて、その種類に対応した応答メッセージを送出するようにすれば実現できる。
【００４３】
【発明の効果】
請求項１記載の発明によれば、複数の通信システムに接続可能な移動体無線通信端末において、受信手段により第１の通信システムにより相手端末の識別情報を受信すると、送信手段により記憶手段に記憶されている該識別情報に対応して記憶されている返答メッセージを第２の通信システムにより該相手端末に送信し、該送信手段は、第２の通信システムの基地局と無線により接続し、返答メッセージの送信に先だって、該基地局の圏内に当該移動体無線通信端末がいるか否かを判断し、圏内に入った時点で送信するようにしたので、異なる通信システムを介して相手端末に返答メッセージを送信することができるという利点が得られる。また、当該移動体無線通信端末が圏内に入った時点で、送信するようにしたので、比較的に頻繁に圏外に出てしまうような移動体無線通信端末であっても、返答メッセージを送信することができるという利点が得られる。
【図面の簡単な説明】
【図１】本発明の実施例による無線通信システムの構成を示すブロック図である。
【図２】本実施例による複合端末の構成を示すブロック図である。
【図３】本実施例による返答メッセージの登録処理を説明するためのフローチャートである。
【図４】本実施例によるページャメッセージ受信処理を説明するためのフローチャートである。
【図５】本実施例による複合端末の表示部における表示例、返答メッセージリスト、ページャの表示部における表示例を示す概念図である。
【符号の説明】
１  電話回線網（通信回線網）
２  電話機
３  ＰＨＳ基地局
４  ＰＨＳセンタ
５  ページングセンタ
６  ページャ基地局
７  ページャ
８  複合端末
ＡＮＴ１，ＡＮＴ２  アンテナ
１０  送受信部（データ送受信手段、発呼手段、送信手段）
１１  通信制御部（データ送受信手段）
１２  音声処理部
１３  スピーカ
１４  マイク
１５  ページャ受信部（文字情報受信手段、メッセージ受信手段）
１６  ページャ通信制御部（文字情報受信手段、メッセージ受信手段）
１７  キー入力部（入力手段、選択手段）
１８  制御部（比較手段）
１９  ＲＯＭ
２０  ＲＡＭ（記憶手段）
２１  表示部
２２  バイブ
【図１】
0003902271.tif 000002
【図２】
0003902271.tif 000003
【図３】
0003902271.tif 000004
【図４】
0003902271.tif 000005
【図５】
0003902271.tif 000006